(57)【要約】【課題】カメラユニット単独で、またはカメラユニットを本体ユニットに装着して持ち運び撮像する場合、携帯性が良く、且つ操作性が良い光学装置を提供する。【解決手段】撮像レンズと撮像素子とを有するカメラユニットを着脱自在に本体ユニットに装着させ、カメラユニットの筐体の側面にストラップ取付部を設け、本体ユニットの筐体の側面に開口を設け、開口からストラップ又はその取付部を突出させることを特徴とする光学装置。【選択図】図１
2007173909.tif 000002
【特許請求の範囲】
【請求項１】
カメラ筐体と、被写体からの光を撮像素子に結像させる撮像レンズと、カメラ信号交信部とを有するカメラユニットと、
前記カメラユニットが着脱可能に装着される本体筐体と、前記カメラユニットが装着される時に前記カメラ信号交信部と信号を交信する本体信号交信部とを有する本体ユニットとを備え、
前記カメラ筐体の側面にストラップを取り付ける取付部を有し、
本体ユニットには、前記本体筐体に凹部が設けられるとともに前記本体筐体の側面に開口が設けられ、
前記カメラユニットが本体ユニットに装着された時、前記カメラユニットが前記凹部に収納され、前記ストラップ又は前記取付部が前記開口から突出させられることを特徴とする光学装置。
【請求項２】
前記カメラユニットが矩形形状であり、前記取付部は、前記カメラユニットの重心と結ぶ線が前記カメラユニットの長辺方向と略平行であるとともに、前記カメラユニットを装着した前記本体ユニットの重心と結ぶ線が前記カメラユニットの長辺方向と略平行であるように前記カメラユニットに配置されていることを特徴とする請求項１に記載の光学装置。
【請求項３】
前記カメラユニットはグリップ部を有し、前記取付部が前記カメラ筐体の前記グリップ部側の側面に設けられていることを特徴とする請求項１または２に記載の光学装置。
【請求項４】
前記本体ユニットは保持部材を有し、前記カメラユニットが本体ユニットに装着された時、前記本体筐体の側面に設けられた前記保持部材が前記カメラ筐体の側面を保持することを特徴とする請求項１乃至３のいずれか１項に記載の光学装置。
【請求項５】
前記保持部材が前記カメラ筐体の前面を保持することを特徴とする請求項４に記載の光学装置。
【発明の詳細な説明】
【技術分野】
【０００１】
本発明は、カメラユニットが本体ユニットに着脱自在に構成される光学装置に関し、特に、カメラユニットのストラップ取付構造を有する光学装置に関するものである。
【背景技術】
【０００２】
近年、パーソナルコンピュータの普及に伴い、手軽にパーソナルコンピュータに画像を取り込めるデジタルカメラが普及している。また、モバイルコンピュータ、携帯電話、携帯情報端末（ＰＤＡ：Ｐｅｒｓｏｎａｌ  Ｄｉｇｉｔａｌ  Ａｓｓｉｓｔａｎｔ）等の情報処理機器にデジタルカメラを組み込むことも一般化している。このようなデジタルカメラの普及にともない、プリント、保存などを行う周辺機器に画像情報を伝送することができ、且ついつでもどこでも持ち歩くことできる携帯性が良いデジタルカメラが要望されるようになってきている。
【０００３】
例えば、特許文献１には、カメラユニットと電池ユニットからなるペンダント型カメラであり、カメラユニットは撮像した画像を外部機器に出力するコネクタを備え、電池ユニットにストラップの取付部を備えていることが開示されている。
【特許文献１】特開２００５−１６４８４５号公報
【発明の開示】
【発明が解決しようとする課題】
【０００４】
ところが、特許文献１においては、ストラップ取付部が電池ユニットに設けられているが、カメラユニットに設けられておらず、カメラユニット単独で持ち運ぶと紛失するおそれがあり、またカメラユニット単独で使う場合にはさらにストラップを別設する必要がある。
【０００５】
本発明はこのような問題点に鑑みてなされたもので、カメラユニット単独で、またカメラユニットを本体ユニットに装着して持ち運んで撮像する場合、携帯性が良く、且つ操作性が良い光学装置を提供することを目的とする。
【課題を解決するための手段】
【０００６】
上記の課題は次の構成により解決される。
【０００７】
１．  カメラ筐体と、被写体からの光を撮像素子に結像させる撮像レンズと、カメラ信号交信部とを有するカメラユニットと、
前記カメラユニットが着脱可能に装着される本体筐体と、前記カメラユニットが装着される時に前記カメラ信号交信部と信号を交信する本体信号交信部とを有する本体ユニットとを備え、
前記カメラ筐体の側面にストラップを取り付ける取付部を有し、
本体ユニットには、前記本体筐体に凹部が設けられるとともに前記本体筐体の側面に開口が設けられ、
前記カメラユニットが本体ユニットに装着された時、前記カメラユニットが前記凹部に収納され、前記ストラップ又は前記取付部が前記開口から突出させられることを特徴とする光学装置。
【０００８】
２．  前記カメラユニットが矩形形状であり、前記取付部は、前記カメラユニットの重心と結ぶ線が前記カメラユニットの長辺方向と略平行であるとともに、前記カメラユニットを装着した前記本体ユニットの重心と結ぶ線が前記カメラユニットの長辺方向と略平行であるように前記カメラユニットに配置されていることを特徴とする１に記載の光学装置。
【０００９】
３．  前記カメラユニットはグリップ部を有し、前記取付部が前記カメラ筐体の前記グリップ部側の側面に設けられていることを特徴とする１または２に記載の光学装置。
【００１０】
４．  前記本体ユニットは保持部材を有し、前記カメラユニットが本体ユニットに装着された時、前記本体筐体の側面に設けられた前記保持部材が前記カメラ筐体の側面を保持することを特徴とする１乃至３のいずれか１項に記載の光学装置。
【００１１】
５．  前記保持部材が前記カメラ筐体の前面を保持することを特徴とする４に記載の光学装置。
【発明の効果】
【００１２】
本発明によれば、撮像レンズと撮像素子とを有するカメラユニットを着脱自在に本体ユニットに装着させ、カメラユニットの筐体の側面にストラップ取付部を設け、本体ユニットの筐体の側面に開口を設け、開口からストラップ又はその取付部を突出させる構成とすることにより、カメラユニット単独で持ち運び撮像する場合でも、また、カメラユニットを本体ユニットに装着して持ち運び撮像する場合でも、携帯性が良く、且つ操作性が良い光学装置を提供することができる。
【発明を実施するための最良の形態】
【００１３】
以下、本発明の第１実施形態について図面を参照しながら説明する。図１（ａ）は本体ユニットからカメラユニットを分離した状態を示す斜視図であり、図１（ｂ）は同じく装着した状態を示す斜視図であり、また、図２（ａ）は本体ユニットからカメラユニットを分離した状態を示す背面図であり、図２（ｂ）は同じく装着した状態を示す背面図であり、光学装置は、本体ユニット１とカメラユニット１０１が着脱自在に構成される。
【００１４】
まず、カメラユニット１０１の構成について説明する。カメラユニット１０１は、それ単独で撮像機能を有している。カメラユニット１０１は、横長の矩形形状であり、カメラ筐体１１０の前面１１０ａに撮像レンズ１１２、上面にレリーズボタン１１９、カメラ電源ボタン１２０、カメラ検知スイッチ１０９、側面１１０ｂにストラップ１４２を取り付ける取付部１４１、背面にカメラ表示部１１５、ズームボタン１１７、取付部１４１がある側面１１０ｂの近辺にグリップ部１４７、下面に図示しないロックを備えている。
【００１５】
撮像レンズ１１２は、ズームレンズであり、被写体からの光を入射させるためのレンズが図１に示すようにカメラ筐体１１０の前面１１０ａにおいて右側に配置されている。
【００１６】
カメラ表示部１１５は、液晶ディスプレイ（ＬＣＤ）からなり、図２に示すようにカメラユニット１０１の背面において右側で、使用者がグリップ部１４７を保持するのに妨げにならない位置に配置され、撮像した画像のほか光学装置の設定状況、操作案内など撮像画像に関連する情報が表示される。
【００１７】
ズームボタン１１７は撮像レンズ１１２の焦点距離を設定するのに用いられる。カメラ電源ボタン１２０はカメラユニット１０１の主電源のオン・オフを行う。レリーズボタン１１９は、図１に示すように左側にあり、カメラ電源ボタン１２０がオン状態で押されると、カメラユニット１０１の露光が開始される。
【００１８】
カメラ検知スイッチ１０９は、カメラユニット１０１が本体ユニット１から分離した状態ではオフであり、カメラユニット１０１が本体ユニット１に装着されるとオンに切り換わる。
【００１９】
次に、本体ユニット１について説明する。本体ユニット１は、本体筐体１０の前面１０ａにフラッシュユニット１３、挿入部８、挿入部８の内部に本体検知スイッチ９、本体信号交信部３１、ロック４５、背面に本体表示部１５、表示窓１１、モード設定スイッチ１６、切り換えボタン１７、メニューボタン１８、上面にレリーズボタン１９、本体電源ボタン２０、ロック４５を解除するロック解除ボタン４６を備えている。
【００２０】
挿入部８は、本体筐体１０の側面１０ｂに設けた開口４４から横方向に伸びた箱形状の凹部４３であり、カメラユニット１０１が凹部４３内に収納される。
【００２１】
カメラユニット１０１が本体ユニット１に着脱自在であり、カメラユニット１０１を装着するには、カメラユニット１０１が、カメラ筐体１１０の側面１１０ｂと反対の側面から開口４４に挿入され、凹部４３内に収納されると、ロック４５がカメラユニット１０１の図示しないロックと連結され、カメラユニット１０１が凹部４３の所定の位置で固定され、取付部１４１、ストラップ１４２が本体ユニット１の開口４４から突出した状態になる。
【００２２】
カメラユニット１０１を本体ユニット１から分離するには、ロック解除ボタン４６が押されると本体ユニット１のロック４５がカメラユニット１０１のロックから外れ、使用者がストラップ１４２を持ってカメラユニット１０１を引くと、カメラユニット１０１が開口４４から出て、取り外される。
【００２３】
本体表示部１５は、液晶ディスプレイ（ＬＣＤ）からなり、図２に示すように本体ユニット１の背面において左側に配置され、カメラユニット１０１で撮像した画像、その再生画像のほか光学装置の設定状況、操作案内など画像に関連する情報を表示する。
【００２４】
表示窓１１は、挿入部８に設けられ、カメラユニット１０１が本体ユニット１に装着された時、カメラ表示部１１５に対向し、カメラ表示部１１５の表示像を観察できるように、本体ユニット１の背面に貫通させた開口である。また、表示窓１１は、図２に示すように表示部１５と重ならないように本体ユニット１の右側に配置され、カメラ表示部１１５の一部を観察できる大きさである。
【００２５】
モード設定スイッチ１６は、カメラユニット１０１を装着した状態において撮像モード、再生モードの設定に用いられ、メニューボタン１８は、撮像時のホワイトバランス調整、露出補正、フラッシュモードなど、また再生時のヒストグラム表示などのメニューを起動させ、切り換えボタン１７は、メニューの選択、メニュー中のサブメニューの選択に用いられる。
【００２６】
本体検知スイッチ９は、カメラユニット１０１が本体ユニット１から分離した状態ではオフであり、カメラユニット１０１が本体ユニット１に装着されるとオンに切り換わる。
【００２７】
本体電源ボタン２０は本体ユニット１の主電源のオン・オフを行う。レリーズボタン１９は、図１に示すように左側にあり、本体電源ボタン２０、カメラ電源ボタン１２０がオン状態で押されると、カメラユニット１０１の露光が開始され、撮像された画像や画像に関連する情報が、本体表示部１５、カメラ表示部１１５に表示される。
【００２８】
カメラユニット１０１と本体ユニット１の内部構成について、図３（ａ）、図３（ｂ）を参照しながら説明する。図３（ａ）は本体ユニットからカメラユニットを分離した状態を示す透視図であり、図３（ｂ）は同じく装着した状態を示す透視図である。
【００２９】
撮像レンズ１１２は、屈曲光学系のズームレンズであり、プリズムからなる屈曲部１８１により被写体からの光をほぼ直角に折り曲げ、撮像素子であるＣＣＤ１２８に結像させる。
【００３０】
撮像レンズ１１２の光軸１８２がカメラユニット１０１の矩形形状の長辺方向に平行であり、カメラユニット１０１の重心がほぼ撮像レンズ１１２の光軸上にある。撮像レンズ１１２の光軸１８２の延長線上において、取付部１４１がカメラ筐体１１０の側面１１０ｂに設けられている。
【００３１】
また、カメラユニット１０１を装着した本体ユニット１の重心がほぼ撮像レンズ１１２の光軸上にあるように、凹部４３が本体ユニット１に配置されていて、カメラユニット１０１を本体ユニット１に装着した場合に、撮像レンズ１１２の光軸１８２の延長線上において、取付部１４１がカメラ筐体１１０の側面１１０ｂに設けられている。
【００３２】
カメラ信号交信部１３１は、撮像レンズ１１２の屈曲部１８１の被写体とは反対側の部分に配置され、カメラ信号交信部１３１の図示せぬ赤外線ポートから、赤外線透過窓１３１ａを介して、対向する本体信号交信部３１の赤外線ポートと信号の交信が可能となる。本体信号交信部３１、カメラ信号交信部１３１は、カメラユニット１０１が本体ユニット１に装着された時に本体検知スイッチ９、カメラ検知スイッチ１０９がともに作動して、各々の電源の供給を受け、カメラ信号交信部１３１が本体信号交信部３１と信号を交信し、カメラユニット１０１を本体ユニット１に装着した状態で、撮像することが可能となる。
【００３３】
以上説明したように、被写体から入射した光を撮像素子１２８に結像させる撮像レンズ１１２とを有するカメラユニット１０１は、そのカメラ筐体１１０の側面１１０ｂにストラップ１４２を取り付ける取付部１４１を設けた構成であるので、カメラユニット１０１をいつでもどこでも持ち運べて撮像でき、携帯性が向上し、また、カメラユニット１０１が本体ユニット１に装着され合体した時に、本体筐体１０の凹部４３にカメラユニット１０１を収納させ、カメラ信号交信部１３１と本体信号交信部３１と信号を交信させ、取付部１４１に取り付けたストラップ１４２が開口４４から突出する構成であるので、カメラユニット１０１を本体ユニット１に装着しても、カメラユニット１０１のストラップ１４２を首からぶら下げて容易に持ち運べて、携帯性に優れ、またカメラユニット単独で、またカメラユニットを合体させても一つのストラップで用立てることができ、安価である。
【００３４】
また、取付部１４１とカメラユニット１０１の重心とを結ぶ線が矩形形状のカメラユニット１０１の長辺方向と略平行であるとともに、カメラユニット１０１を本体ユニット１に装着した時も取付部１４１と本体ユニット１の重心とを結ぶ線がカメラユニット１０１の長辺方向と略平行であるように前記カメラユニット１０１に配置されている構成であるので、カメラユニット１０１単独、またはカメラユニット１０１を合体させて首からぶら下げて持ち運んでも、傾くことがなく安定して保持することができる。
【００３５】
また、取付部１４１がカメラ筐体１１０のグリップ部１４７側の側面１１０ｂに設けられている構成であるので、手首にストラップ１４２を巻き付けて固定して撮像すると、ブレの小さい写真が撮れ、またカメラユニット１０１を本体ユニット１に着脱する操作性が良くなり、カメラユニット１０１を合体させて撮像してもブレの小さい写真を撮ることができる。
【００３６】
次に、第２実施形態を説明する。図４は、縦置きにした本体ユニットとカメラユニットを示し、本体ユニットに保持部材を設け、本体ユニットの前面からカメラユニットを挿入するものである。図４（ａ）はカメラユニットと本体ユニットを分離した状態を示し、図４（ｂ）はカメラユニットを本体ユニットに装着した状態を示す。なお、以降の説明において、第１実施形態と同じ機能の部材には同じ番号を付し、重複する説明は省略する。
【００３７】
本体筐体１０には、第１実施例と同様の凹部４３が設けられ、カメラユニット１０１が本体ユニット１の前面１０ａから凹部４３内に挿入されて、収納される。
【００３８】
保持部材４８は、本体筐体１０の側面１０ｂに固定され、カメラユニット１０１が凹部４３内に収納されると、カメラ筐体１１０の側面１１０ｂを保持し、カメラユニット１０１が図４の上側に抜け出ないように押さえる。
【００３９】
開口４４は、保持部材４８の中央に明けられ、カメラユニット１０１が凹部４３内に収納されると、取付部１４１が突出する大きさで設けられている。ロック４５は、凹部４３内に設けられ、カメラユニット１０１が前面１０ａの方向から挿入されると、カメラユニット１０１の図示しないロックと連結される。
【００４０】
以上の構成により、カメラユニット１０１単独で、またはカメラユニット１０１を合体させて、持ち運ぶことができ、また撮像する際にストラップ１４２を使用して固定することができるので、カメラユニット１０１の落下などを防ぐことができ、安定した撮像の補助を行うことができる。また、カメラユニット１０１を合体させて本体ユニット１を持ち運びする際に、保持部材４８がロック４５とともに本体ユニット１、カメラユニット１０１の重量負荷を分担して受けることになり、ロック４５の耐久性が増し、長持ちさせることができる。
【００４１】
次に、第３実施形態を説明する。図５は本体ユニットに開閉可能である保持部材を設け、カメラユニットの側面とともに前面を保持するものであり、図５（ａ）はカメラユニットを装着した本体ユニットの保持部材を開けた状態を示し、図５（ｂ）はカメラユニットを装着した本体ユニットの保持部材を閉めた状態を示す。
【００４２】
カメラユニット１０１が本体ユニット１の前面１０ａから収納された状態において、本体ユニット１０１の背面で回転可能に支持された保持部材４８が、図５（ａ）に示す矢印の方向に回転されると、取付部１４１が開口４４を潜り、前面保持部材４８ａに設けた係合突起４９がカメラユニット１０１の係合穴１４９に係合し、保持部材４８が閉められて本体ユニット１に固定される。前面保持部材４８ａには、グリップ部４８ｂが膨出して設けられ、撮像時に本体ユニット１を握る指が掛けられる。
【００４３】
図５（ｂ）に示すように、保持部材４８が閉められると、保持部材４８がカメラユニット１０１の側面１１０ｂを保持し、また前面保持部材４８ａがその前面１１０ａを保持し、取付部１４１が開口４４から突出する。
【００４４】
以上の構成により、カメラユニット１０１単独で、またはカメラユニット１０１を合体させて、持ち運びして、また撮像するのにストラップ１４２を使え、カメラの落下などを防ぐことができ、安定した撮像の補助を行うことができる。また、カメラユニット１０１を合体させて本体ユニット１を持ち運びする際に、保持部材４８がストラップ１４２とともに本体ユニット１、カメラユニット１０１の重量負荷を分担して受けることになり、ストラップ１４２の耐久性が増し、長持ちさせることができるとともに、不用意にカメラユニット１０１と本体ユニット１のロックが解除されて、カメラユニット１０１が本体ユニット１の前面から外れることを防ぐことができる。
【００４５】
次に、第４実施形態について説明する。図６は、図４の第２実施形態の保持部材が本体ユニットの前面方向に摺動してカメラユニットを保持するものである。
【００４６】
保持部材４８は、その両側の端面が本体ユニット１の溝にガイドされ本体ユニット１の前面１０ａの方向に前後摺動して、カメラユニット１０１を装着状態で前面１０ａの方向に摺動されると開口４４が取付部１４１に嵌り、カメラユニット１０１の側面を保持する。この構成により、第２実施形態と同様の効果が得られる。
【００４７】
次に第５実施形態について説明する。図７の上側の部分透視図に示すように、軸である取付部１４１がカメラ筐体１１０の側面１１０ｂの窪みに植設され、ストラップ１４２が取付部１４１と窪みの間を通されて取り付けられ、カメラユニット１０１を本体ユニット１に装着した状態で、取付部１４１が保持部材４８に設けた開口４４から突出せず、ストラップ１４２が開口４４から突出していても良い。
【００４８】
また、カメラユニット１０１が横長の矩形形状であり、取付部１４１が短辺側の側面１１０ｂに設けられた構成に替えて、取付部１４１が長辺側の側面に設けられる構成でも良く、また、カメラユニット１０１が正方形の矩形形状で、その側面に取付部１４１が設けられる構成でも良い。
【００４９】
また、凹部４３は、本体筐体１０の前面１０ａに設けられる構成に替えて、本体筐体１０の背面に設けられる構成でも良い。その場合、本体筐体１０の前面１０ａに被写体からの光を取り込む開口を設けておくと良い。
【図面の簡単な説明】
【００５０】
【図１】本発明の光学装置の分離状態を示す斜視図（ａ）および装着状態を示す斜視図（ｂ）。
【図２】本発明の光学装置の分離状態を示す背面図（ａ）および装着状態を示す背面図（ｂ）。
【図３】本発明の光学装置の分離状態を示す透視図（ａ）および装着状態を示す透視図（ｂ）。
【図４】本発明の光学装置の第２実施形態の分離状態を示す斜視図（ａ）および装着状態を示す斜視図（ｂ）。
【図５】本発明の光学装置の第３実施形態の保持部材の開状態を示す斜視図（ａ）および保持部材の閉状態を示す斜視図（ｂ）。
【図６】本発明の光学装置の第４実施形態の本体ユニットの斜視図。
【図７】本発明の光学装置の第５実施形態の装着状態を示す一部透視図を含む正面図。
【符号の説明】
【００５１】
１  本体ユニット
１０  本体筐体
２４、１２４  操作部
３１  本体信号交信部
４３  凹部
４４  開口
４８  保持部材
１０１  カメラユニット
１１０  カメラ筐体
１１２  撮像レンズ
１２０  カメラ電源スイッチ
１２８  撮像素子
１３１  カメラ信号交信部
１４１  取付部
１４２  ストラップ
１４７  グリップ部
【図１】
2007173909.tif 000003
【図２】
2007173909.tif 000004
【図３】
2007173909.tif 000005
【図４】
2007173909.tif 000006
【図５】
2007173909.tif 000007
【図６】
2007173909.tif 000008
【図７】
2007173909.tif 000009